(57)【要約】【課題】顎弓の大きさに関わらず、トレーの幅が調節でき、印象採得時に調整された位置が安定するようにする歯科印象用トレーを提供すること。【解決手段】本発明に係る歯科印象用トレーは、取っ手部１と、Ｕ字型断面で成形されて印象材を受容する印象材収容部２と、前記取っ手部１と前記印象材収容部２との間にヒンジ部３とを備えて左右に両分された印象材収容部２の左右幅を調節して顎弓の印象を採得する公知のものであって、一側取っ手部１’にねじピッチが形成された長孔１ａと、他側取っ手部１”から延びて、前記長孔１ａに結合されて前記取っ手部１’、１”を互いに固定結合させる結合突起１ｂが形成された延長部１ｃからなることを特徴とする。本発明に係る歯科印象用トレーは、患者の口腔及び歯牙の形態により異なる顎弓の大きさに関わらず、トレーの幅を適切に調節することができ、全ての患者に適用可能である。【選択図】図２
2008508071.tif 000002
【特許請求の範囲】
【請求項１】
取っ手部１と、Ｕ字型断面で成形されて印象材を受容する印象材収容部２と、前記取っ手部１と前記印象材収容部２との間にヒンジ部３とを備えて左右に両分された印象材収容部２の左右幅を調節して顎弓の印象を採得するものであって、
合成樹脂からなる一側取っ手部１’にねじピッチが形成された長孔１ａと、
合成樹脂からなる他側取っ手部１”から延びて、前記長孔１ａに結合されて前記取っ手部１’、１”を互いに固定結合させる結合突起１ｂが形成された延長部１ｃと
からなることを特徴とする歯科印象用トレー。
【請求項２】
前記印象材収容部２の内側から延びる結合部２ｅからなって、前記結合部２ｅが上下に互いに交差して結合されることを特徴とする請求項１記載の歯科印象用トレー。
【請求項３】
前記印象材収容部２の一側には印象材による印象完了後、脱去のための突起部２ｆが形成されることを特徴とする請求項１記載の歯科印象用トレー。
【請求項４】
前記印象材収容部２の内側端部に結合され、印象材収容部２の結合孔２ｈ’、２ｈ”に結合される突出部４ａ’、４ａ”が形成された拡張部４を更に備えることを特徴とする請求項１記載の歯科印象用トレー。
【請求項５】
前記印象材収容部２の内側端部に切取線４ｂが形成された拡張部４を備えることを特徴とする請求項１記載の歯科印象用トレー。
【請求項６】
前記印象材収容部２の下部に多数個形成されて外側に拡孔可能な切欠部２ｃが形成されたインプラント孔２ｂを更に含んでなることを特徴とする請求項１記載の歯科印象用トレー。
【請求項７】
前記印象材収容部２の外周縁に裏桟形態の突起２ｇが長く形成されることを特徴とする請求項１記載の歯科印象用トレー。
【請求項８】
前記結合部２ｅの外側に裏桟形態の突起２ｇが長く形成されることを特徴とする請求項２記載の歯科印象用トレー。
【発明の詳細な説明】
【技術分野】
【０００１】
本発明は、歯科印象用トレーに関し、より詳しくは、顎弓の大きさに関わらず、トレーの幅が調節でき、印象採得時に調整された位置が安定するようにする歯科印象用トレーに関する。
【背景技術】
【０００２】
周知のように、歯科印象用トレーは、歯牙の欠落や損傷がある場合、診断と治療のために口腔内の模様を複製して模型を製作する際、印象材を用いて印象を採得することに使われる。 
【０００３】
このように印象を採得するためには、歯牙と歯槽骨がなす馬蹄形態の顎弓を患者に適するように選択して印象を採得しなければならない。 
【０００４】
従来には、患者によって顎弓の大きさが異なるので、上顎４隻（小型、中型、大型、超大型）と下顎３隻（小型、中型、大型）が１セットで構成された歯科用既成トレーを用いて印象採得した。 
【０００５】
このような場合には歯科用既成トレーの大きさから外れる患者の歯型を取るためには、トレーの形態を任意に広げたり縮めて大きさを調整した後、歯型を取らなければならない不便さがあった。 
【０００６】
このような問題点を解決するために、歯科印象用トレーを用いてトレーの幅を任意に調整して印象採得するようにしたもので、大韓民国登録実用新案公報第２２０２８５号（発明の名称：可変型歯科印象用トレー）が出願されたことがあり、これを図１に図示した。 
【０００７】
図示したように、可変型歯科印象用トレーは、顎弓の形態で彎曲しながら印象材を受容するためのＵ字断面で成形され、両分される中央にヒンジ板１０１が延びて取り付けられ、ヒンジ板１０１の上に締結部材１０２が設けられて顎弓の大きさによって変形可能な上顎及び下顎トレー１０３、１０４から構成されて、ヒンジ板１０１によりトレー１０３、１０４が回動されることによって、トレー１０３、１０４の幅を調整するようにしたものである。  
【０００８】
このような場合には、印象採得する途中で、トレー１０３、１０４がヒンジ板１０１により回動されてトレー１０３、１０４の調整された位置がよく変わることになるので、正確な歯型を取ることができないという短所があった。また、トレー１０３、１０４のよく変わる位置を再調整してくれなければならないし、印象採得の結果が合わない場合には再度歯型を取らなければならないので、時間及び費用が大いにかかる問題点があった。 
【０００９】
また、従来の歯科印象用トレーは、金属トレーとなっているので、機械的強度は良いが、金属トレーを大中小の大きさによって多数確保しなければならない経済的負担があり、反復的に使用するために消毒及び滅菌をしなければならないが、これにかかる時間が長くて、多くは簡易消毒のみ行って使用することになるので、非衛生的な問題点があった。のみならず、一人の患者に適当な大きさのトレーを探すために、場合によっては１つの顎で３種類のトレー、即ち、上下顎全てで６個のトレーを口に入れて合せて見なければならないので、消毒をしたとしても１人の患者の顎弓の大きさを確認する過程で多数個のトレーが唾液に接触するので、次の患者達は非衛生的な状態で印象を採得しなければならない問題点があった。 
【００１０】
【特許文献１】大韓民国登録実用新案公報第２２０２８５号
【発明の開示】
【発明が解決しようとする課題】
【００１１】
したがって、本発明は、前記したような従来技術の問題点を解決するために案出したものであって、本発明の目的は、顎弓の大きさに関わらず、トレーの幅が調節できるのみならず、印象採得時に調整された位置が安定するようにする歯科印象用トレーを提供することにある。
【００１２】
また、本発明の他の目的は、安価な合成樹脂材で製作して使い捨てで使用することによって、衛生的で使用できるようにし、インプラント孔を備えてインプラント施術も可能にする歯科印象用トレーを提供することにある。 
【課題を解決するための手段】
【００１３】
前記したような目的を達成するための本発明の特徴によれば、取っ手部と、Ｕ字型断面で成形されて印象材を受容する印象材収容部と、前記取っ手部と前記印象材収容部との間にヒンジ部とを備えて左右に両分された印象材収容部の左右幅を調節して顎弓の印象を採得する公知のものであって、一側取っ手部にねじピッチが形成された長孔と、他側取っ手部から延びて、前記長孔に結合されて前記取っ手部を互いに固定結合させる結合突起が形成された延長部とからなることを特徴とする。
【００１４】
また、本発明は、前記印象材収容部の内側から延びる結合部からなって、前記結合部が上下に互いに交差して結合されることを特徴とする。
【発明の効果】
【００１５】
以上のように、本発明によれば、患者の口腔及び歯牙の形態によって異にする顎弓の大きさに関わらず、トレーの幅が適切に調節できるので、全ての患者に適用可能でることは勿論、印象採得時に調整された位置が安定するようにして正確で、かつ速かに印象することができる効果がある。また、印象用トレーを安価な合成樹脂財で製作して使い捨てで使用後、廃棄することによって、消毒及び滅菌が不要であるので、使用が便利になり、衛生的な歯科診療が可能になる有用な効果があり、インプラント孔を備えることにより、インプラント施術も可能であるので、多目的に使われることができる。
【発明を実施するための最良の形態】
【００１６】
以下、前記したような構成を有する本発明による歯科印象用トレーを添付した図面を参考しつつ詳細に説明する。 
【００１７】
図２は本発明に係る歯科印象用トレーを示す斜視図であり、図３は本発明に係る歯科印象用トレーを示す分解斜視図である。 
【００１８】
図示したように、本発明による歯科印象用トレー１０は、取っ手部１と、印象材を受容する印象材収容部２と、前記取っ手部１により前記印象材収容部２を回動させるヒンジ部３から構成される。 
【００１９】
前記取っ手部１は、両分されている前記印象材収容部２と各々一体形成され、前記ヒンジ部３により回動されて前記印象材収容部２の幅（Ｗ）を広めたり狭めることができるようにする役割をする。一側取っ手部１’にはねじピッチが形成された長孔１ａが形成されてあり、他側取っ手部１”には延長部１ｂが形成され、前記延長部１ｂの一側には前記長孔１ａに結合されて取っ手部１’、１”を互いに固定結合させる結合突起１ｃが形成されている。前記結合突起１ｃはねじピッチが形成された前記長孔１ａと噛み合って前記印象材収容部２の調整された位置が安定するようにする役割をする。 
【００２０】
特に、本発明はその材質が合成樹脂からなっていて、前記結合突起１ｃが前記長孔１ａ内に結合される位置を変更することで、前記取っ手部１’、１”を回動させることによって取っ手部１’、１”と一体形成された前記印象材収容部２の幅（Ｗ）を広めたり狭めるようにして、患者毎に異なる大きさを有する顎弓に対応して調整することができることは勿論であり、これらの材質が合成樹脂であるから、結合突起１ｃが自身の規格より小さな長孔１ａのねじピッチに強制圧入されながら、安定的に堅く結合されることによって、印象採得を行う途中で印象用トレー１０の調整された位置が変わらなくて、正確な歯型を取ることができるようにするものである。 
【００２１】
また、本発明の印象用トレー１０を安価な合成樹脂材で製作して使い捨てで使用することによって、従来でのように反復的に使用する金属トレーとは異に衛生的に使用することができるものである。 
【００２２】
前記印象材収容部２は、Ｕ字型断面で成形されて歯型を取るアルジネートやシリコンなどからなる印象材を受容する役割をし、左右に両分されている。前記印象材収容部２の側面には印象材を維持するための印象材維持孔２ａが形成されている。 この印象材維持孔２ａは上部が狭くて、下部が広い台形のテーパ形態となっている。 印象材収容部２の下面には、インプラント孔２ｂが多数個形成されている。このインプラント孔２ｂは歯牙がある患者に使われる時はそのまま使われて印象材維持孔２ａのような役割をすることになり、無歯牙患者に使われる時は、図４でのように、インプラント孔２ｂの外側に形成された切欠部２ｃを押さえて拡孔して巨大なホール２ｄを形成し、インプラント施術のために使われるフィクスチュアマウント（Fixture Mount）がこのホール２ｄを通過することによってインプラント施術のための印象が可能になる。
【００２３】
前記印象材収容部２の内側から延びる結合部２ｅが形成されてあり、この結合部２ｅは、図５のＡ−Ａ’断面図でのように、上下に互いに交差して結合されることによって、前記印象材収容部２が上下に流動されたり、分離されることが防止できる役割をする。 
【００２４】
また、前記印象材収容部２の一側には、図６でのように、突起部２ｆが形成されていて、患者の口腔内で印象材が固くなってよく離れない時に施術者が指を入れてこの部分を動かせてくれて捩れ状態になるようにして、印象用トレー１０が容易に脱去できるようになるものである。
【００２５】
併せて、前記印象材収容部２の外周縁には裏桟形態の突起２ｇが長く形成されている。 前記突起２ｇは、印象用トレー１０の外周縁に材料を添加したり技工時に作業を円滑にするために患者の口腔状態に合うようにトレーの外周縁形態を変える時に有用であり、ワックスやモデリングコンパウンドなどの材料が容易に取り付けられるようにする役割をする。また、前記突起２ｇは、印象材が十分に外周縁によく定着するようにする維持装置としての役割もするので、歯牙と頬との間の谷部位を正確に印象してくれる役割もすることになる。また、結合部２ｅの外側にも前記印象材収容部２の外周縁と同様に裏桟形態の突起２ｇが長く形成されてあり、前記印象材収容部２の外周縁に形成されたことと同様の役割をすることになる。 
【００２６】
前記ヒンジ部３は、前記取っ手部１’、１”の回動により両分された印象材収容部２を回動されるように結合させる役割をする。前記取っ手部１’、１”を左右に広めることになれば、前記印象材収容部２の幅（Ｗ１）が狭くなることになって、顎弓の狭い患者に適用できることになり（図７ａ）、前記取っ手部１’、１”を左右に狭めることになれば、前記印象材収容部２の幅（Ｗ２）が広くなることになって、顎弓の広い患者に適用できることになる（図７ｂ）。
【００２７】
前述した歯科印象用トレーは上顎に適用されるだけでなく、図８でのように、下顎にも適用されることができる。図示したように、下顎に適用されるトレーは結合部２ｅが不要であり、前述したような方法により下顎の大きさに合うように取っ手を用いて顎弓の幅を合せて使用すればよい。 
【００２８】
併せて、本発明では、知歯がそのまま保存された患者や顎弓が珍しく非常に大きい患者の場合に適用可能な印象用トレーの実施形態を示すものであって、図９に示すように、拡張のために前記印象材収容部２の内側端部に結合され、底面に突出部４ａ’、４ａ”が形成された拡張部４を備えることによって、前記突出部４ａ’、４ａ”を印象材収容部の端部に位置して形成された前記インプラント孔２ｂに隣接した結合孔２ｈ’と印象材収容部２の端部に形成された結合孔２ｈ”に結合されるようにすれば、安定した状態で結合されて前述したように正常に使用可能になる。
【００２９】
併せて、このような結合構造は、図１０に示すように、底面に形成された突出部４ａ’、４ａ”が前記インプラント孔２ｂに隣接した結合孔２ｈ’と印象材収容部２の端部に形成された結合孔２ｈ”に結合されるものであり、その規格を適切にして合成樹脂材質の固有の弾力で強制圧入されるようにして安定に使用可能なものである。併せて、その他の形態の締結構造で拡張部４を印象用トレー１０に結合して使用できることは勿論である。
【００３０】
併せて、図９と図１０に示した、結合して使用する拡張部４とは異に、図１１では切取線４ｂが形成された拡張部４を備えた印象用トレー１０を示したものである。前記印象材収容部２の内側端部に位置した拡張部４に切取線４ｂが形成されることによって、知歯がそのまま保存された患者は拡張部４を用いて適用し、知歯がない患者は切取線４ｂを用いて拡張部４を切り取って除去した状態で印象用トレー１０を適用すればよいのである。 
【図面の簡単な説明】
【００３１】
【図１】従来に使われた歯科印象用トレーを示す斜視図である。
【図２】本発明に係る歯科印象用トレーを示す斜視図である。
【図３】本発明に係る歯科印象用トレーを示す分解斜視図である。
【図４】インプラント孔が拡孔された状態を示す斜視図である。
【図５】図２のＡ−Ａ’断面図である。
【図６】本発明に好ましい実施形態に係る歯科印象用トレーを示す斜視図である。
【図７ａ】本発明に係る歯科印象用トレーの一作動状態を示す斜視図である。
【図７ｂ】本発明に係る歯科印象用トレーの他の作動状態を示す斜視図である。
【図８】下顎に適用される歯科印象用トレーを示す斜視図である。
【図９】顎弓の大きい患者のための印象用トレーの実施形態であって、拡張部の構造を示す分解斜視図である。
【図１０】拡張部が結合された状態を示す斜視図である。
【図１１】印象用トレーの他の実施形態を示す斜視図である。
【符号の説明】
【００３２】
１：取っ手部
１ａ：長孔
１ｂ：延長部
１ｃ：結合突起
２：印象材収容部
２ａ：印象材維持孔
２ｂ：インプラント孔
２ｃ：切欠部
２ｄ：ホール
２ｅ：結合部
２ｆ：突起部
２ｇ：突起
２ｈ’、２ｈ”：結合孔
３：ヒンジ部
４：拡張部
４ａ’、４ｂ”：突出部
４ｂ：切取線
【図１】
2008508071.tif 000003
【図２】
2008508071.tif 000004
【図３】
2008508071.tif 000005
【図４】
2008508071.tif 000006
【図５】
2008508071.tif 000007
【図６】
2008508071.tif 000008
【図７】
2008508071.tif 000009
【図８】
2008508071.tif 000010
【図９】
2008508071.tif 000011
【図１０】
2008508071.tif 000012
【図１１】
2008508071.tif 000013
【国際調査報告】
2008508071.tif 000014
2008508071.tif 000015